(57)【要約】【課題】本発明はアクティブ有機発光ディスプレーを提供する。【解決手段】予め準備された駆動データに応じてアナログの駆動信号を生成する駆動部と、第１及び第２電源の供給を受ける電源端の間に連結された有機発光ダイオードを含み、予め設定されたトラッキング区間では前記駆動信号に応じて駆動データに相応する値を充電し、これと同時に劣化検出のために前記駆動信号を検出して、予め設定されたホールディング区間では前記トラッキング区間で充電された値に応じて前記有機発光ダイオードに電流が流れるようにし、このホールディング区間とその次のトラッキング区間との間にリセット区間を設定することにより前記充電された値をリセットさせる画素部、及び前記トラッキング区間で、前記画素部の有機発光ダイオードの劣化情報を有する前記駆動信号を劣化電圧として検出するＡＤＣを含む。【選択図】図１
2012058722.tif 000002
【特許請求の範囲】
【請求項１】
予め準備された駆動データに応じてアナログの駆動信号を生成する駆動部と、
第１及び第２電源の供給を受ける電源端の間に連結された有機発光ダイオードを含み、予め設定されたトラッキング区間では前記駆動信号に応じて駆動データに相応する値を充電し、これと同時に劣化検出のために前記駆動信号を検出して、予め設定されたホールディング区間では前記トラッキング区間で充電された値に応じて前記有機発光ダイオードに電流が流れるようにし、このホールディング区間とその次のトラッキング区間との間にリセット区間を設定することにより、前記充電された値をリセットさせる画素部と、
前記トラッキング区間で、前記画素部の有機発光ダイオードの劣化情報を有する前記駆動信号を劣化電圧として検出するＡＤＣと
を含むアクティブ有機発光ディスプレー。
【請求項２】
前記画素部は、
前記第１電源の供給を受ける第１電源端と有機発光ダイオードとの間に直列に連結された第１及び第２ＭＯＳトランジスタと、
前記第１及び第２ＭＯＳトランジスタ間の第１接続ノードと前記駆動部との間に連結された第３ＭＯＳトランジスタと、
前記第２ＭＯＳトランジスタのゲートと前記第１接続ノードとの間に連結された充電キャパシタと、
前記第２ＭＯＳトランジスタのドレインに連結されたドレインと前記第２ＭＯＳトランジスタのゲートに連結されたソースを有する第４ＭＯＳトランジスタと、
前記充電キャパシタのリセットのために、前記第２ＭＯＳトランジスタのゲートに連結された前記充電キャパシタの一端と前記第１電源端との間に連結された第５ＭＯＳトランジスタと
をさらに含むことを特徴とする請求項１に記載のアクティブ有機発光ディスプレー。
【請求項３】
前記画素部は、
前記トラッキング区間では、前記第２、第３及び第４ＭＯＳトランジスタがターンオンされ、前記第１及び第５ＭＯＳトランジスタがターンオフされて、
前記ホールディング区間では、前記第１及び第２ＭＯＳトランジスタがターンオンされ、前記第３、第４及び第５ＭＯＳトランジスタがターンオフされて、
前記リセット区間では、前記第１及び第５ＭＯＳトランジスタがターンオンされて前記充電キャパシタがリセットされ、第３及び第４ＭＯＳトランジスタはターンオフされるようになされることを特徴とする請求項２に記載のアクティブ有機発光ディスプレー。
【請求項４】
前記画素部は、
前記トラッキング区間では、前記駆動部の駆動信号が第２及び第３ＭＯＳトランジスタを経て前記有機発光ダイオードに流れ、前記充電キャパシタに駆動データに相応する値を貯蔵して、
前記ホールディング区間では、前記充電キャパシタに貯蔵された値に応じて電流が前記第１電源端から第１及び第２ＭＯＳトランジスタを経て前記有機発光ダイオードに流れて、
前記リセット区間では、前記第１及び第５ＭＯＳトランジスタを介して前記充電キャパシタの両端に第１電源端が連結され、前記充電キャパシタの両端電圧が零電圧になるようになされることを特徴とする請求項２または３に記載のアクティブ有機発光ディスプレー。
【請求項５】
前記画素部は、
前記第１電源の供給を受ける第１電源端と有機発光ダイオードとの間に直列に連結された第１及び第２ＭＯＳトランジスタと、
前記第１及び第２ＭＯＳトランジスタ間の第１接続ノードと前記駆動部との間に連結された第３ＭＯＳトランジスタと、
前記第２ＭＯＳトランジスタのゲートと前記第１接続ノードとの間に連結された充電キャパシタと、
前記第２ＭＯＳトランジスタのドレインに連結されたドレインと前記第２ＭＯＳトランジスタのゲートに連結されたソースを有する第４ＭＯＳトランジスタと、
前記充電キャパシタのリセットのために、前記第２ＭＯＳトランジスタのゲートに連結された充電キャパシタの一端と前記第１電源端との間に連結された第５ＭＯＳトランジスタと、
前記第１接続ノードに連結された充電キャパシタの他端と前記第１電源端との間に連結された第６ＭＯＳトランジスタと
をさらに含むことを特徴とする請求項１に記載のアクティブ有機発光ディスプレー。
【請求項６】
前記画素部は、
前記トラッキング区間では、前記第２、第３及び第４ＭＯＳトランジスタがターンオンされ、前記第１、第５及び第６ＭＯＳトランジスタがターンオフされて、
前記ホールディング区間では、前記第１及び第２ＭＯＳトランジスタがターンオンされ、前記第３、第４、第５及び第６ＭＯＳトランジスタがターンオフされて、
前記リセット区間では前記第５及び第６ＭＯＳトランジスタがターンオンされて前記充電キャパシタがリセットされ、第１、第３及び第４ＭＯＳトランジスタはターンオフされるようになされることを特徴とする請求項５に記載のアクティブ有機発光ディスプレー。
【請求項７】
前記画素部は、
前記トラッキング区間では、前記駆動部の駆動信号が第２及び第３ＭＯＳトランジスタを経て前記有機発光ダイオードに流れ、前記充電キャパシタに駆動データに相応する値を貯蔵して、
前記ホールディング区間では、前記充電キャパシタに貯蔵された値に応じて電流が前記第１電源端から第１及び第２ＭＯＳトランジスタを経て前記有機発光ダイオードに流れて、
前記リセット区間では、前記第５及び第６ＭＯＳトランジスタを介して前記充電キャパシタの両端に前記第１電源端が連結され、前記充電キャパシタの両端電圧が零電圧になるようになされることを特徴とする請求項５または６に記載のアクティブ有機発光ディスプレー。
【請求項８】
前記画素部は、
前記第１電源の供給を受ける第１電源端と有機発光ダイオードとの間に直列に連結された第１及び第２ＭＯＳトランジスタと、
前記第１及び第２ＭＯＳトランジスタ間の第１接続ノードと前記駆動部との間に連結された第３ＭＯＳトランジスタと、
前記第２ＭＯＳトランジスタのゲートと前記第１接続ノードとの間に連結された充電キャパシタと、
前記第２ＭＯＳトランジスタのドレインに連結されたドレインと前記第２ＭＯＳトランジスタのゲートに連結されたソースを有する第４ＭＯＳトランジスタと、
前記充電キャパシタのリセットのために、前記充電キャパシタの両端に連結された第７ＭＯＳトランジスタと
をさらに含むことを特徴とする請求項１に記載のアクティブ有機発光ディスプレー。
【請求項９】
前記画素部は、
前記トラッキング区間では、前記第２、第３及び第４ＭＯＳトランジスタがターンオンされ、前記第１及び第７ＭＯＳトランジスタがターンオフされて、
前記ホールディング区間では、前記第１及び第２ＭＯＳトランジスタがターンオンされ、前記第３、第４及び第７ＭＯＳトランジスタがターンオフされて、
前記リセット区間では、前記第１及び第７ＭＯＳトランジスタがターンオンされて前記充電キャパシタがリセットされ、第３及び第４ＭＯＳトランジスタはターンオフされるようになされることを特徴とする請求項８に記載のアクティブ有機発光ディスプレー。
【請求項１０】
前記画素部は、
前記トラッキング区間では、前記駆動部の駆動信号が第２及び第３ＭＯＳトランジスタを経て前記有機発光ダイオードに流れ、前記充電キャパシタに駆動データに相応する値を貯蔵して、
前記ホールディング区間では、前記充電キャパシタに貯蔵された値に応じて電流が前記第１電源端から第１及び第２ＭＯＳトランジスタを経て前記有機発光ダイオードに流れて、
前記リセット区間では、前記第１及び第７ＭＯＳトランジスタを介して前記充電キャパシタの両端に第１電源端が連結され、前記充電キャパシタの両端電圧が零電圧になるようになされることを特徴とする請求項８または９に記載のアクティブ有機発光ディスプレー。
【請求項１１】
前記ＡＤＣは、
前記トラッキング区間で、前記駆動部の駆動信号が入力される前記画素部の入力ノードで前記有機発光ダイオードの劣化情報を有する劣化電圧を検出するようになされることを特徴とする請求項２から１０の何れか１項に記載のアクティブ有機発光ディスプレー。
【請求項１２】
前記ＡＤＣからのデジタル劣化電圧を利用して劣化補償のための劣化補償信号を生成し、前記劣化補償信号を利用して入力データを劣化の補償された駆動データに変換し、前記駆動部に提供する制御部をさらに含むことを特徴とする請求項１１に記載のアクティブ有機発光ディスプレー。
【発明の詳細な説明】
【技術分野】
【０００１】
本発明はディスプレーシステムに適用されることができるアクティブ有機発光ディスプレーに関し、特にデータサイクル間にリセット区間を追加することにより、データサイクル間に存在するヒステリシスの影響を除去することができるリセット機能を有するアクティブ有機発光ディスプレーに関する。
【背景技術】
【０００２】
一般的に、次世代ディスプレー素子として注目を集めている有機発光ダイオードＯＬＥＤを利用して、大型のディスプレーパネル化のためにアクティブマトリクス構造に構成するようになるが、これをアクティブマトリクスＯＬＥＤ（略称、「ＡＭＯＬＥＤ」）という。
【０００３】
このようなＡＭＯＬＥＤは追加光源が必要ないため、追加光源を提供するバックライトユニット（ＢＬＵ）を利用するＬＣＤパネルに比べて、明るさ、厚さ、鮮明度、速度及び電力消耗などの面において優れた性能を表す。
【０００４】
しかしながら、ＡＭＯＬＥＤの欠点はピクセル（ｐｉｘｅｌ）とピクセルの間の単一性と時間による単一性が非常に低いという点であり、このような単一性を補正するための回路が必要である。
【０００５】
通常、ＡＭＯＬＥＤの駆動方式には、大きく電流駆動方式と電圧駆動方式がある。ＡＭＯＬＥＤの電圧駆動方式は、トランジスタの移動度（Ｍｏｂｉｌｉｔｙ）や閾値（Ｔｈｒｅｓｈｏｌｄ）電圧の劣化によって出力が変わるという欠点を有する。
【０００６】
ところが、アクティブ有機発光ディスプレーには、閾値電圧の劣化による欠点を解消するために、劣化を補正するための補償回路が必要であり、また、ＡＭＯＬＥＤの電圧駆動方式には、劣化された程度を検知する区間がさらに必要であるため、劣化検出及び劣化補償にかかる時間が長くなるという問題点がある。
【０００７】
また、映像データは一定のサイクルで画素部のキャパシタに充電され、充電されたデータが全て放電された後にその次のデータが充電されなければならないが、データサイクル間にヒステリシスが存在するため、ＡＭＯＬＥＤの駆動が不正確になるという問題点がある。
【発明の概要】
【発明が解決しようとする課題】
【０００８】
本発明は上述した従来技術の問題点を解決するためのものであり、本発明は、データサイクル間にリセット区間を追加することにより、データサイクル間に存在するヒステリシスの影響を除去することができるリセット機能を有するアクティブ有機発光ディスプレーを提供することを目的とする。
【課題を解決するための手段】
【０００９】
上述した本発明の課題を解決するための本発明の第１技術的な側面は、予め準備された駆動データに応じてアナログの駆動信号を生成する駆動部と、第１及び第２電源の供給を受ける電源端の間に連結された有機発光ダイオードを含み、予め設定されたトラッキング区間では上記駆動信号に応じて駆動データに相応する値を充電し、これと同時に劣化検出のために上記駆動信号を検出して、予め設定されたホールディング区間では上記トラッキング区間で充電された値に応じて上記有機発光ダイオードに電流が流れるようにし、このホールディング区間とその次のトラッキング区間との間にリセット区間を設定することにより上記充電された値をリセットさせる画素部、及び上記トラッキング区間で、上記画素部の有機発光ダイオードの劣化情報を有する上記駆動信号を劣化電圧として検出するＡＤＣを含むアクティブ有機発光ディスプレーを提案することである。
【００１０】
一具現例として、上記画素部は、上記第１電源の供給を受ける第１電源端と有機発光ダイオードとの間に直列に連結された第１及び第２ＭＯＳトランジスタと、上記第１及び第２ＭＯＳトランジスタ間の第１接続ノードと上記駆動部との間に連結された第３ＭＯＳトランジスタと、上記第２ＭＯＳトランジスタのゲートと上記第１接続ノードとの間に連結された充電キャパシタと、上記第２ＭＯＳトランジスタのドレインに連結されたドレインと上記第２ＭＯＳトランジスタのゲートに連結されたソースを有する第４ＭＯＳトランジスタ、及び上記充電キャパシタのリセットのために、上記第２ＭＯＳトランジスタのゲートに連結された充電キャパシタの一端と上記第１電源端との間に連結された第５ＭＯＳトランジスタをさらに含むことを特徴とする。
【００１１】
この際、上記画素部は、上記トラッキング区間では、上記第２、第３及び第４ＭＯＳトランジスタがターンオンされ、上記第１及び第５ＭＯＳトランジスタがターンオフされて、上記ホールディング区間では、上記第１及び第２ＭＯＳトランジスタがターンオンされ、上記第３、第４及び第５ＭＯＳトランジスタがターンオフされて、上記リセット区間では、上記第１及び第５ＭＯＳトランジスタがターンオンされて上記充電キャパシタがリセットされ、第３及び第４ＭＯＳトランジスタはターンオフされるようになされることを特徴とする。
【００１２】
ここで、上記画素部は、上記トラッキング区間では、上記駆動部の駆動信号が第２及び第３ＭＯＳトランジスタを経て上記有機発光ダイオードに流れ、上記充電キャパシタに駆動データに相応する値を貯蔵して、上記ホールディング区間では、上記充電キャパシタに貯蔵された値に応じて電流が上記第１電源端から第１及び第２ＭＯＳトランジスタを経て上記有機発光ダイオードに流れて、上記リセット区間では、上記第１及び第５ＭＯＳトランジスタを介して上記充電キャパシタの両端に第１電源端が連結され、上記充電キャパシタの両端電圧が零電圧になるようになされることを特徴とする。
【００１３】
他の一具現例として、上記画素部は、上記第１電源の供給を受ける第１電源端と有機発光ダイオードとの間に直列に連結された第１及び第２ＭＯＳトランジスタと、上記第１及び第２ＭＯＳトランジスタ間の第１接続ノードと上記駆動部との間に連結された第３ＭＯＳトランジスタと、上記第２ＭＯＳトランジスタのゲートと上記第１接続ノードとの間に連結された充電キャパシタと、上記第２ＭＯＳトランジスタのドレインに連結されたドレインと上記第２ＭＯＳトランジスタのゲートに連結されたソースを有する第４ＭＯＳトランジスタと、上記充電キャパシタのリセットのために、上記第２ＭＯＳトランジスタのゲートに連結された充電キャパシタの一端と上記第１電源端との間に連結された第５ＭＯＳトランジスタ、及び上記第１接続ノードに連結された充電キャパシタの他端と上記第１電源端との間に連結された第６ＭＯＳトランジスタをさらに含むことを特徴とする。
【００１４】
この際、上記画素部は、上記トラッキング区間では、上記第２、第３及び第４ＭＯＳトランジスタがターンオンされ、上記第１、第５及び第６ＭＯＳトランジスタがターンオフされて、上記ホールディング区間では、上記第１及び第２ＭＯＳトランジスタがターンオンされ、上記第３、第４、第５及び第６ＭＯＳトランジスタがターンオフされて、上記リセット区間では、上記第５及び第６ＭＯＳトランジスタがターンオンされて上記充電キャパシタがリセットされ、第１、第３及び第４ＭＯＳトランジスタはターンオフされるようになされることを特徴とする。
【００１５】
ここで、上記画素部は、上記トラッキング区間では、上記駆動部の駆動信号が第２及び第３ＭＯＳトランジスタを経て上記有機発光ダイオードに流れ、上記充電キャパシタに駆動データに相応する値を貯蔵して、上記ホールディング区間では、上記充電キャパシタに貯蔵された値に応じて電流が上記第１電源端から第１及び第２ＭＯＳトランジスタを経て上記有機発光ダイオードに流れて、上記リセット区間では、上記第５及び第６ＭＯＳトランジスタを介して上記充電キャパシタの両端に第１電源端が連結され、上記充電キャパシタの両端電圧が零電圧になるようになされることを特徴とする。
【００１６】
また他の一具現例として、上記画素部は、上記第１電源の供給を受ける第１電源端と有機発光ダイオードとの間に直列に連結された第１及び第２ＭＯＳトランジスタと、上記第１及び第２ＭＯＳトランジスタ間の第１接続ノードと上記駆動部との間に連結された第３ＭＯＳトランジスタと、上記第２ＭＯＳトランジスタのゲートと上記第１接続ノードとの間に連結された充電キャパシタと、上記第２ＭＯＳトランジスタのドレインに連結されたドレインと上記第２ＭＯＳトランジスタのゲートに連結されたソースを有する第４ＭＯＳトランジスタ、及び上記充電キャパシタのリセットのために、上記充電キャパシタの両端に連結された第７ＭＯＳトランジスタをさらに含むことを特徴とする。
【００１７】
この際、上記画素部は、上記トラッキング区間では、上記第２、第３及び第４ＭＯＳトランジスタがターンオンされ、上記第１及び第７ＭＯＳトランジスタがターンオフされて、上記ホールディング区間では、上記第１及び第２ＭＯＳトランジスタがターンオンされ、上記第３、第４及び第７ＭＯＳトランジスタがターンオフされて、上記リセット区間では、上記第１及び第７ＭＯＳトランジスタがターンオンされて上記充電キャパシタがリセットされ、第３及び第４ＭＯＳトランジスタはターンオフされるようになされることを特徴とする。
【００１８】
ここで、上記画素部は、上記トラッキング区間では、上記駆動部の駆動信号が第２及び第３ＭＯＳトランジスタを経て上記有機発光ダイオードに流れ、上記充電キャパシタに駆動データに相応する値を貯蔵して、上記ホールディング区間では、上記充電キャパシタに貯蔵された値に応じて電流が上記第１電源端から第１及び第２ＭＯＳトランジスタを経て上記有機発光ダイオードに流れて、上記リセット区間では、上記第１及び第７ＭＯＳトランジスタを介して上記充電キャパシタの両端に第１電源端が連結され、上記充電キャパシタの両端電圧が零電圧になるようになされることを特徴とする。
【００１９】
また、上記ＡＤＣは、上記トラッキング区間で、上記駆動部の駆動信号が入力される上記画素部の入力ノードで上記有機発光ダイオードの劣化情報を有する劣化電圧を検出するようになされることを特徴とする。
【００２０】
この際、本発明のアクティブ有機発光ディスプレーは、上記ＡＤＣからのデジタル劣化電圧を利用して劣化補償のための劣化補償信号を生成し、上記劣化補償信号を利用して入力データを劣化の補償された駆動データに変換し、上記駆動部に提供する制御部をさらに含むことを特徴とする。
【発明の効果】
【００２１】
本発明によると、データサイクル間にリセット区間を追加することにより、データサイクル間に存在するヒステリシス影響を除去することができるリセット機能を有する効果がある。
【００２２】
また、リアルタイムで画面表示と補償を同時に処理するため、一つのＡＤＣで補償が可能であり、駆動部の面積を大きく減少させることができる。
【図面の簡単な説明】
【００２３】
【図１】本発明の第１実施例によるアクティブ有機発光ディスプレーの回路ブロック図である。
【図２】本発明の第１実施例によるアクティブ有機発光ディスプレーの動作区間の説明図である。
【図３】図３は本発明の第２実施例によるアクティブ有機発光ディスプレーの回路ブロック図である。
【図４】本発明の第２実施例によるアクティブ有機発光ディスプレーの動作区間の説明図である。
【図５】本発明の第３実施例によるアクティブ有機発光ディスプレーの回路ブロック図である。
【図６】本発明の第３実施例によるアクティブ有機発光ディスプレーの動作区間の説明図である。
【発明を実施するための形態】
【００２４】
以下、本発明の実施例を添付した図面を参照して説明する。
【００２５】
本発明は以下で説明する実施例に限定されず、本発明の実施例は本発明の技術的思想に対する理解を容易にするために用いられる。本発明に参照された図面において、実質的に同一の構成と機能を有した構成要素は、同一の符号を用いる。
【００２６】
図１は本発明の第１実施例によるアクティブ有機発光ディスプレーの回路ブロック図である。
【００２７】
図１を参照すると、本発明の第１実施例によるアクティブ有機発光ディスプレーは、駆動部１２０、画素部１３０及びＡＤＣ（Ａｎａｌｏｇ−Ｄｉｇｉｔａｌ  Ｃｏｎｖｅｒｔｅｒ）１４０を含むことができる。
【００２８】
上記駆動部１２０は、予め準備された駆動データに応じてアナログの駆動信号を生成するようになされることができる。
【００２９】
上記画素部１３０は、第１電源ＥＬＶＤＤ及び第２電源ＥＬＶＳＳの供給を受ける電源端の間に連結された有機発光ダイオードＯＬＥＤを含み、予め設定されたトラッキング区間では、上記駆動信号に応じて駆動データに相応する値を充電し、これと同時に劣化検出のために上記駆動信号を検出して、予め設定されたホールディング区間では、上記トラッキング区間で充電された値に応じて上記有機発光ダイオードＯＬＥＤに電流が流れるようにして、このホールディング区間とその次のトラッキング区間との間にリセット区間を設定することにより、上記充電された値をリセットさせるようになされることができる。
【００３０】
そして、上記ＡＤＣ１４０は、上記トラッキング区間で、上記画素部１３０の有機発光ダイオードＯＬＥＤの劣化情報を有する上記駆動信号を劣化電圧として検出するようになされることができる。
【００３１】
本発明の第１実施例において、上記画素部１３０は、上記第１電源ＥＬＶＤＤの供給を受ける第１電源端と有機発光ダイオードＯＬＥＤとの間に直列に連結された第１及び第２ＭＯＳトランジスタＭ１、Ｍ２と、上記第１及び第２ＭＯＳトランジスタＭ１、Ｍ２間の第１接続ノードＮＣ１と上記駆動部１２０との間に連結された第３ＭＯＳトランジスタＭ３と、上記第２ＭＯＳトランジスタＭ２のゲートと上記第１接続ノードＮＣ１との間に連結された充電キャパシタＣ１と、上記第２ＭＯＳトランジスタＭ２のドレインに連結されたドレインと上記第２ＭＯＳトランジスタＭ２のゲートに連結されたソースを有する第４ＭＯＳトランジスタＭ４と、上記充電キャパシタＣ１のリセットのために、上記第２ＭＯＳトランジスタＭ２のゲートに連結された充電キャパシタの一端と上記第１電源端との間に連結された第５ＭＯＳトランジスタＭ５とをさらに含むことができる。
【００３２】
図２は本発明の第１実施例によるアクティブ有機発光ディスプレーの動作区間の説明図である。
【００３３】
図１及び図２を参照すると、上記画素部１３０は、上記トラッキング区間では、上記第２、第３及び第４ＭＯＳトランジスタＭ２、Ｍ３、Ｍ４がターンオンされ、上記第１及び第５ＭＯＳトランジスタＭ１、Ｍ５がターンオフされて、上記ホールディング区間では、上記第１及び第２ＭＯＳトランジスタＭ１、Ｍ２がターンオンされ、上記第３、第４及び第５ＭＯＳトランジスタＭ３、Ｍ４、Ｍ５がターンオフされて、上記リセット区間では、上記第１及び第５ＭＯＳトランジスタＭ１、Ｍ５がターンオンされて上記充電キャパシタＣ１がリセットされ、第３及び第４ＭＯＳトランジスタＭ３、Ｍ４はターンオフされるようになされることができる。
【００３４】
この際、上記画素部１３０は、上記トラッキング区間では、上記駆動部の駆動信号が第２及び第３ＭＯＳトランジスタＭ２、Ｍ３を経て上記有機発光ダイオードＯＬＥＤに流れ、上記充電キャパシタＣ１に駆動データに相応する値を貯蔵して、上記ホールディング区間では、上記充電キャパシタＣ１に貯蔵された値に応じて電流が上記第１電源端から第１及び第２ＭＯＳトランジスタＭ１、Ｍ２を経て上記有機発光ダイオードＯＬＥＤに流れて、上記リセット区間では、上記第１及び第５ＭＯＳトランジスタＭ１、Ｍ５を介して上記充電キャパシタＣ１の両端に第１電源端が連結され、上記充電キャパシタＣ１の両端電圧が零電圧になるようになされることができる。なお、図２のＶｏｌｅｄは、有機発光ダイオード（ＯＬＥＤ）にかかる電圧を表している。
【００３５】
図３は本発明の第２実施例によるアクティブ有機発光ディスプレーの回路ブロック図である。
【００３６】
図３を参照すると、本発明の第２実施例において、上記画素部１３０は、上記第１電源ＥＬＶＤＤの供給を受ける第１電源端と有機発光ダイオードＯＬＥＤとの間に直列に連結された第１及び第２ＭＯＳトランジスタＭ１、Ｍ２と、上記第１及び第２ＭＯＳトランジスタＭ１、Ｍ２間の第１接続ノードＮＣ１と上記駆動部１２０との間に連結された第３ＭＯＳトランジスタＭ３と、上記第２ＭＯＳトランジスタＭ２のゲートと上記第１接続ノードＮＣ１との間に連結された充電キャパシタＣ１と、上記第２ＭＯＳトランジスタＭ２のドレインに連結されたドレインと上記第２ＭＯＳトランジスタＭ２のゲートに連結されたソースを有する第４ＭＯＳトランジスタＭ４と、上記充電キャパシタＣ１のリセットのために、上記第２ＭＯＳトランジスタＭ２のゲートに連結された充電キャパシタＣ１の一端と上記第１電源端との間に連結された第５ＭＯＳトランジスタＭ５と、上記第１接続ノードＮＣ１に連結された充電キャパシタＣ１の他端と上記第１電源端との間に連結された第６ＭＯＳトランジスタＭ６とをさらに含むことができる。
【００３７】
図４は本発明の第２実施例によるアクティブ有機発光ディスプレーの動作区間の説明図である。
【００３８】
図３及び図４を参照すると、上記画素部は、上記トラッキング区間では、上記第２、第３及び第４ＭＯＳトランジスタＭ２、Ｍ３、Ｍ４がターンオンされ、上記第１、第５及び第６ＭＯＳトランジスタＭ１、Ｍ５、Ｍ６がターンオフされて、上記ホールディング区間では、上記第１及び第２ＭＯＳトランジスタＭ１、Ｍ２がターンオンされ、上記第３、第４、第５及び第６ＭＯＳトランジスタＭ３、Ｍ４、Ｍ５、Ｍ６がターンオフされて、上記リセット区間では、上記第５及び第６ＭＯＳトランジスタＭ５、Ｍ６がターンオンされて上記充電キャパシタＣ１がリセットされ、第１、第３及び第４ＭＯＳトランジスタＭ１、Ｍ３、Ｍ４はターンオフされるようになされることができる。
【００３９】
この際、上記画素部１３０は、上記トラッキング区間では、上記駆動部の駆動信号が第２及び第３ＭＯＳトランジスタＭ２、Ｍ３を経て上記有機発光ダイオードＯＬＥＤに流れ、上記充電キャパシタＣ１に駆動データに相応する値を貯蔵して、上記ホールディング区間では、上記充電キャパシタＣ１に貯蔵された値に応じて電流が上記第１電源端ＥＬＶＤＤから第１及び第２ＭＯＳトランジスタＭ１、Ｍ２を経て上記有機発光ダイオードＯＬＥＤに流れて、上記リセット区間では、上記第５及び第６ＭＯＳトランジスタＭ５、Ｍ６を介して上記充電キャパシタＣ１の両端に第１電源端が連結され、上記充電キャパシタＣ１の両端電圧が零電圧になるようになされることができる。
【００４０】
図５は本発明の第３実施例によるアクティブ有機発光ディスプレーの回路ブロック図である。
【００４１】
図５を参照すると、本発明の第３実施例において、上記画素部１３０は、上記第１電源ＥＬＶＤＤの供給を受ける第１電源端と有機発光ダイオードＯＬＥＤとの間に直列に連結された第１及び第２ＭＯＳトランジスタＭ１、Ｍ２と、上記第１及び第２ＭＯＳトランジスタＭ１、Ｍ２間の第１接続ノードＮＣ１と上記駆動部１２０との間に連結された第３ＭＯＳトランジスタＭ３と、上記第２ＭＯＳトランジスタＭ２のゲートと上記第１接続ノードＮＣ１との間に連結された充電キャパシタＣ１と、上記第２ＭＯＳトランジスタＭ２のドレインに連結されたドレインと上記第２ＭＯＳトランジスタＭ２のゲートに連結されたソースを有する第４ＭＯＳトランジスタＭ４と、上記充電キャパシタＣ１のリセットのために、上記充電キャパシタＣ１の両端に連結された第７ＭＯＳトランジスタＭ７とをさらに含むことができる。
【００４２】
図６は本発明の第３実施例によるアクティブ有機発光ディスプレーの動作区間の説明図である。
【００４３】
図５及び図６を参照すると、上記画素部１３０は、上記トラッキング区間では、上記第２、第３及び第４ＭＯＳトランジスタＭ２、Ｍ３、Ｍ４がターンオンされ、上記第１及び第７ＭＯＳトランジスタＭ１、Ｍ７がターンオフされて、上記ホールディング区間では、上記第１及び第２ＭＯＳトランジスタＭ１、Ｍ２がターンオンされ、上記第３、第４及び第７ＭＯＳトランジスタＭ３、Ｍ４、Ｍ７がターンオフされて、上記リセット区間では、上記第１及び第７ＭＯＳトランジスタＭ１、Ｍ７がターンオンされて上記充電キャパシタＣ１がリセットされ、第３及び第４ＭＯＳトランジスタＭ３、Ｍ４はターンオフされるようになされることができる。
【００４４】
この際、上記画素部１３０は、上記トラッキング区間では、上記駆動部の駆動信号が第２及び第３ＭＯＳトランジスタＭ２、Ｍ３を経て上記有機発光ダイオードＯＬＥＤに流れ、上記充電キャパシタＣ１に駆動データに相応する値を貯蔵して、上記ホールディング区間では、上記充電キャパシタＣ１に貯蔵された値に応じて電流が上記第１電源端から第１及び第２ＭＯＳトランジスタＭ１、Ｍ２を経て上記有機発光ダイオードＯＬＥＤに流れ、上記リセット区間では、上記第１及び第７ＭＯＳトランジスタＭ１、Ｍ７を介して上記充電キャパシタＣ１の両端に第１電源端が連結され、上記充電キャパシタＣ１の両端電圧が零電圧になるようになされることができる。
【００４５】
図１、図３及び図５を参照すると、上記ＡＤＣは、上記トラッキング区間で、上記駆動部の駆動信号が入力される上記画素部の入力ノードＮＣｉｎで上記有機発光ダイオードＯＬＥＤの劣化情報を有する劣化電圧を検出するようになされることができる。
有機発光ダイオードＯＬＥＤの劣化に応じて、有機発光ダイオードＯＬＥＤのインピーダンスは変化する。また、有機発光ダイオードＯＬＥＤのインピーダンスの変化に応じて、画素部の入力ノードＮＣｉｎにおける電圧は変化する。したがって、有機発光ダイオードＯＬＥＤの劣化に応じて、画素部の入力ノードＮＣｉｎにおける電圧が変化する。つまり、画素部の入力ノードＮＣｉｎの電圧（駆動信号）は、画素部１３０の有機発光ダイオードＯＬＥＤの劣化情報を含んでいる。したがって、ＡＤＣ１４０で検出される電圧は画素部１３０の有機発光ダイオードＯＬＥＤの劣化情報を含んでおり、劣化電圧であると理解できる。
【００４６】
この際、本発明のアクティブ有機発光ディスプレーは、上記ＡＤＣからのデジタル劣化電圧を利用して劣化補償のための劣化補償信号を生成し、上記劣化補償信号を利用して入力データを劣化の補償された駆動データに変換し、上記駆動部に提供する制御部１１０をさらに含むことができる。
【００４７】
以下、本発明の作用及び効果を添付した図面に基づいて説明する。
【００４８】
図１から図６を参照して本発明の第１、第２及び第３実施例によるアクティブ有機発光ディスプレーの動作を説明すると、本発明の実施例夫々によるアクティブ有機発光ディスプレーは、駆動部１２０、画素部１３０及びＡＤＣ１４０を含むことができる。
【００４９】
上記駆動部１２０は、予め準備された駆動データに応じてアナログの駆動信号を生成して上記画素部１３０に提供する。
【００５０】
この際、上記画素部１３０は、予め設定されたトラッキング区間では、上記駆動信号に応じて駆動データに相応する値を充電し、これと同時に劣化検出のために上記駆動信号を検出して、予め設定されたホールディング区間では、上記トラッキング区間で充電された値に応じて上記有機発光ダイオードＯＬＥＤに電流が流れるようにして、このホールディング区間とその次のトラッキング区間との間にリセット区間を設定することにより、上記充電された値をリセットさせることができる。
【００５１】
そして、上記ＡＤＣ１４０は、上記トラッキング区間で、上記画素部１３０の有機発光ダイオードＯＬＥＤの劣化情報を有する上記駆動信号を劣化電圧として検出することができる。
【００５２】
まず、図１及び図２を参照して本発明の第１実施例によるアクティブ有機発光ディスプレーについて説明する。
【００５３】
図１及び図２を参照すると、上記画素部１３０は、上記トラッキング区間では、上記第２、第３及び第４ＭＯＳトランジスタＭ２、Ｍ３、Ｍ４がターンオンされ、上記第１及び第５ＭＯＳトランジスタＭ１、Ｍ５がターンオフされる。
【００５４】
上記ホールディング区間では、上記第１及び第２ＭＯＳトランジスタＭ１、Ｍ２がターンオンされ、上記第３、第４及び第５ＭＯＳトランジスタＭ３、Ｍ４、Ｍ５がターンオフされる。
【００５５】
そして、上記リセット区間では、上記第１及び第５ＭＯＳトランジスタＭ１、Ｍ５がターンオンされて上記充電キャパシタＣ１がリセットされ、第３及び第４ＭＯＳトランジスタＭ３、Ｍ４はターンオフされる。
【００５６】
ここで、上記ＭＯＳトランジスタの動作は、スイッチング制御部（未図示）から提供されるスイッチング信号Ｓ１、Ｓ２、Ｓ３、Ｓ５によって制御されることができる。
【００５７】
このような上記画素部１３０におけるＭＯＳトランジスタの動作により、上記画素部１３０は、上記トラッキング区間Ｐ１では、上記駆動部の駆動信号が第２及び第３ＭＯＳトランジスタＭ２、Ｍ３を経て上記有機発光ダイオードＯＬＥＤに流れ、上記充電キャパシタＣ１に駆動データに相応する値を貯蔵する。
【００５８】
次に、上記ホールディング区間Ｐ２では、上記充電キャパシタＣ１に貯蔵された値に応じて電流が上記第１電源端から第１及び第２ＭＯＳトランジスタＭ１、Ｍ２を経て上記有機発光ダイオードＯＬＥＤに流れる。
【００５９】
そして、上記リセット区間Ｐ３では、上記第１及び第５ＭＯＳトランジスタＭ１、Ｍ５を介して上記充電キャパシタＣ１の両端に第１電源端が連結され、上記充電キャパシタＣ１の両端電圧が零電圧になることができる。これにより、上記充電キャパシタはリセットされる。
【００６０】
また、上記ＡＤＣ１４０は、上記トラッキング区間で、上記駆動部の駆動信号が入力される上記画素部の入力ノードＮＣｉｎで上記有機発光ダイオードＯＬＥＤの劣化情報を有する劣化電圧を検出して制御部１１０に提供する。
【００６１】
上記制御部１１０は、上記ＡＤＣ１４０からのデジタル劣化電圧を利用して劣化補償のための劣化補償信号を生成し、上記劣化補償信号を利用して入力データを劣化の補償された駆動データに変換して上記駆動部に提供することができる。このような説明は、本発明の第２及び第３実施例にも同様に適用されることができる。
【００６２】
次に、図３及び図４を参照して本発明の第２実施例によるアクティブ有機発光ディスプレーについて説明する。
【００６３】
図３及び図４を参照すると、上記画素部１３０は、上記トラッキング区間では、上記第２、第３及び第４ＭＯＳトランジスタＭ２、Ｍ３、Ｍ４がターンオンされ、上記第１、第５及び第６ＭＯＳトランジスタＭ１、Ｍ５、Ｍ６がターンオフされる。
【００６４】
次に、上記ホールディング区間では、上記第１及び第２ＭＯＳトランジスタＭ１、Ｍ２がターンオンされ、上記第３、第４、第５及び第６ＭＯＳトランジスタＭ３、Ｍ４、Ｍ５、Ｍ６がターンオフされる。
【００６５】
そして、上記リセット区間では、上記第５及び第６ＭＯＳトランジスタＭ５、Ｍ６がターンオンされて上記充電キャパシタＣ１がリセットされ、第１、第３及び第４ＭＯＳトランジスタＭ１、Ｍ３、Ｍ４はターンオフされる。
【００６６】
ここで、上記ＭＯＳトランジスタの動作は、スイッチング制御部（未図示）から提供されるスイッチング信号Ｓ１、Ｓ２、Ｓ３、Ｓ５によって制御されることができる。
【００６７】
このような上記画素部１３０におけるＭＯＳトランジスタの動作により、上記画素部１３０は、上記トラッキング区間では、上記駆動部の駆動信号が第２及び第３ＭＯＳトランジスタＭ２、Ｍ３を経て上記有機発光ダイオードＯＬＥＤに流れ、上記充電キャパシタＣ１に駆動データに相応する値を貯蔵する。
【００６８】
上記ホールディング区間では上記充電キャパシタＣ１に貯蔵された値に応じて電流が上記第１電源端から第１及び第２ＭＯＳトランジスタＭ１、Ｍ２を経て上記有機発光ダイオードＯＬＥＤに流れる。
【００６９】
そして、上記リセット区間では、上記第５及び第６ＭＯＳトランジスタＭ５、Ｍ６を介して上記充電キャパシタＣ１の両端に第１電源端が連結され、上記充電キャパシタＣ１の両端電圧が零電圧になることができる。これにより、上記充電キャパシタはリセットされる。
【００７０】
次に、図５及び図６を参照して本発明の第３実施例によるアクティブ有機発光ディスプレーについて説明する。
【００７１】
図５及び図６を参照すると、上記画素部１３０は、上記トラッキング区間では、上記第２、第３及び第４ＭＯＳトランジスタＭ２、Ｍ３、Ｍ４がターンオンされ、上記第１及び第７ＭＯＳトランジスタＭ１、Ｍ７がターンオフされる。
【００７２】
次に、上記ホールディング区間では、上記第１及び第２ＭＯＳトランジスタＭ１、Ｍ２がターンオンされ、上記第３、第４及び第７ＭＯＳトランジスタＭ３、Ｍ４、Ｍ７がターンオフされる。
【００７３】
そして、上記リセット区間では、上記第１及び第７ＭＯＳトランジスタＭ１、Ｍ７がターンオンされて上記充電キャパシタＣ１がリセットされ、第３及び第４ＭＯＳトランジスタＭ３、Ｍ４はターンオフされる。
【００７４】
ここで、上記ＭＯＳトランジスタの動作は、スイッチング制御部（未図示）から提供されるスイッチング信号Ｓ１、Ｓ２、Ｓ３、Ｓ５によって制御されることができる。
【００７５】
このような上記画素部１３０におけるＭＯＳトランジスタの動作により、上記画素部１３０は、上記トラッキング区間では、上記駆動部の駆動信号が第２及び第３ＭＯＳトランジスタＭ２、Ｍ３を経て上記有機発光ダイオードＯＬＥＤに流れ、上記充電キャパシタＣ１に駆動データに相応する値を貯蔵する。
【００７６】
次に、上記ホールディング区間では、上記充電キャパシタＣ１に貯蔵された値に応じて電流が上記第１電源端から第１及び第２ＭＯＳトランジスタＭ１、Ｍ２を経て上記有機発光ダイオードＯＬＥＤに流れる。
【００７７】
そして、上記リセット区間では、上記第１及び第７ＭＯＳトランジスタＭ１、Ｍ７を介して上記充電キャパシタＣ１の両端に第１電源端が連結され、上記充電キャパシタＣ１の両端電圧が零電圧になるようになされることができる。
【００７８】
上述のような本発明によると、トラッキング区間Ｐ１でプログラミング動作と劣化検出動作を同時に行い、ホールディング区間Ｐ２の次にリセット区間Ｐ３を設定することにより、データサイクル間に発生するヒステリシスの影響を除去することができる。
【符号の説明】
【００７９】
１１０  制御部
１２０  駆動部
１３０  画素部
１４０  ＡＤＣ
ＯＬＥＤ  有機発光ダイオード
Ｃ１  充電キャパシタ
Ｍ１、Ｍ２  第１及び第２ＭＯＳトランジスタ
Ｍ３  第３ＭＯＳトランジスタ
Ｍ４  第４ＭＯＳトランジスタ
Ｍ５  第５ＭＯＳトランジスタ
Ｍ６  第６ＭＯＳトランジスタ
Ｍ７  第７ＭＯＳトランジスタ
【図１】
2012058722.tif 000003
【図２】
2012058722.tif 000004
【図３】
2012058722.tif 000005
【図４】
2012058722.tif 000006
【図５】
2012058722.tif 000007
【図６】
2012058722.tif 000008